【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】
加熱手段により加熱される加熱ローラにより転写材上に形成されたトナー像を加熱定着する画像形成装置の定着器の異常温度検知装置において、
前記加熱ローラの表面温度を検出する第１の温度センサ及び前記第１の温度センサの周囲温度を検出する第２の温度センサを有する温度検出手段と、
前記第１の温度センサの検出信号と前記第２の温度センサの検出信号とを差動増幅して前記両信号の差分値を求める差動増幅手段と、
前記第１の温度センサの検出信号値が予め設定された第１の基準値を超えない状態が予め設定された第１の基準時間以上継続した場合、前記第２の温度センサの検出信号値が予め設定された第２の基準値を超えない状態が予め設定された第２の基準時間以上継続した場合又は前記差分値が予め設定された基準値を超えない状態が予め設定された第３の基準時間以上継続した場合に、異常と判断する判断手段と、
を備えたことを特徴とする異常温度検知装置。
【請求項２】
前記第１の基準時間をｔ１、前記第２の基準時間をｔ２、前記第３の基準時間をｔ３としたとき、ｔ１＜ｔ２＜ｔ３となるように設定したことを特徴とする請求項１に記載の異常温度検知装置。
【請求項３】
加熱手段により加熱される加熱ローラにより転写材上に形成されたトナー像を加熱定着する画像形成装置の定着器の異常温度検知装置において、
前記加熱ローラの表面温度を検出する第１の温度センサ及び前記第１の温度センサの周囲温度を検出する第２の温度センサを有する温度検出手段と、
前記第１の温度センサの検出信号と前記第２の温度センサの検出信号とを差動増幅して前記両信号の差分値を求める差動増幅手段と、
前記差動増幅手段の動作領域を正負電圧に跨る領域とするための正負電源電圧を当該差動増幅手段に供給する正負電源供給手段と、
前記差分値の信号極性が負である場合に異常と判断する判断手段と、
を備えたことを特徴とする異常温度検知装置。
【請求項４】
前記判断手段は、前記差分値の信号極性が負である状態が予め定められた基準時間以上継続した場合に異常と判断することを特徴とする請求項３に記載の異常温度検知装置。
【請求項５】
前記判断手段の判断結果が異常を示す場合に、前記加熱手段の動作を一旦停止した後再起動させ、再度、前記判断手段により異常と判断された場合に異常と判定する制御手段を備えたことを特徴とする請求項１〜４の何れか一項に記載の異常温度検知装置。
【請求項６】
前記温度検出手段は、前記第１の温度センサの設置位置と異なる他の位置に設置されて前記加熱ローラの他の位置の表面温度を検出する第３の温度センサを含み、
前記判断手段の判断結果が異常である場合に、前記第３の温度センサの検出信号値及び予め設定された第３の基準値に基づいて、異常を確認する確認手段を備えたことを特徴とする請求項１〜４の何れか一項に記載の異常温度検知装置。
【請求項７】
前記確認手段の確認結果が異常を示す場合に、前記加熱手段の動作を一旦停止した後再起動させ、再度、前記判断手段により異常と判断された場合に異常と判定する制御手段を備えたことを特徴とする請求項６に記載の異常温度検知装置。
【請求項８】
前記判断手段において設定された基準時間の長さを変更する切り替え手段を備えたことを特徴とする請求項１、２、４の何れか一項に記載の異常温度検知装置。
【請求項９】
請求項１〜８の何れか一項に記載の定着器の異常温度検知装置を備えたことを特徴とする画像形成装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
【課題を解決するための手段】
上記課題を解決するため、請求項１に記載の発明は、加熱手段により加熱される加熱ローラにより転写材上に形成されたトナー像を加熱定着する画像形成装置の定着器の異常温度検知装置において、前記加熱ローラの表面温度を検出する第１の温度センサ及び前記第１の温度センサの周囲温度を検出する第２の温度センサを有する温度検出手段と、前記第１の温度センサの検出信号と前記第２の温度センサの検出信号とを差動増幅して前記両信号の差分値を求める差動増幅手段と、前記第１の温度センサの検出信号値が予め設定された第１の基準値を超えない状態が予め設定された第１の基準時間以上継続した場合、前記第２の温度センサの検出信号値が予め設定された第２の基準値を超えない状態が予め設定された第２の基準時間以上継続した場合又は前記差分値が予め設定された基準値を超えない状態が予め設定された第３の基準時間以上継続した場合に、異常と判断する判断手段と、を備えたことを特徴としている。
【手続補正９】
【補正対象書類名】明細書
【補正対象項目名】００１７
【補正方法】変更
【補正の内容】
【００１７】
請求項１に記載の発明によれば、加熱ローラの表面温度を検出する第１の温度センサ及び第１の温度センサの周囲温度を検出する第２の温度センサを有し、第１の温度センサの検出信号と第２の温度センサの検出信号とを差動増幅して前記両信号の差分値を求め、第１の温度センサの検出信号値が予め設定された第１の基準値を超えない状態が予め設定された第１の基準時間以上継続した場合、第２の温度センサの検出信号値が予め設定された第２の基準値を超えない状態が予め設定された第２の基準時間以上継続した場合又は差分値が予め設定された基準値を超えない状態が予め設定された第３の基準時間以上継続した場合に、異常と判断する。従って、２つのセンサからの出力及び２つのセンサの差分値を用いて異常を検知するので、より正確に異常を検知することができる。
【手続補正１０】
【補正対象書類名】明細書
【補正対象項目名】００１８
【補正方法】変更
【補正の内容】
【００１８】
請求項２に記載の発明は、請求項１に記載の発明において、前記第１の基準時間をｔ１、前記第２の基準時間をｔ２、前記第３の基準時間をｔ３としたとき、ｔ１＜ｔ２＜ｔ３となるように設定したことを特徴としている。
【手続補正１１】
【補正対象書類名】明細書
【補正対象項目名】００１９
【補正方法】変更
【補正の内容】
【００１９】
請求項２に記載の発明によれば、請求項１に記載の発明において、第１の基準時間をｔ１、第２の基準時間をｔ２、第３の基準時間をｔ３としたとき、ｔ１＜ｔ２＜ｔ３となるように設定する。従って、異常検知として重要な順に異常判断を行っていくことができる。
【手続補正１２】
【補正対象書類名】明細書
【補正対象項目名】００２０
【補正方法】変更
【補正の内容】
【００２０】
請求項３に記載の発明は、加熱手段により加熱される加熱ローラにより転写材上に形成されたトナー像を加熱定着する画像形成装置の定着器の異常温度検知装置において、前記加熱ローラの表面温度を検出する第１の温度センサ及び前記第１の温度センサの周囲温度を検出する第２の温度センサを有する温度検出手段と、前記第１の温度センサの検出信号と前記第２の温度センサの検出信号とを差動増幅して前記両信号の差分値を求める差動増幅手段と、前記差動増幅手段の動作領域を正負電圧に跨る領域とするための正負電源電圧を当該差動増幅手段に供給する正負電源供給手段と、前記差分値の信号極性が負である場合に異常と判断する判断手段と、を備えたことを特徴としている。
【手続補正１３】
【補正対象書類名】明細書
【補正対象項目名】００２１
【補正方法】変更
【補正の内容】
【００２１】
請求項３に記載の発明によれば、加熱ローラの表面温度を検出する第１の温度センサ及び第１の温度センサの周囲温度を検出する第２の温度センサを有し、第１の温度センサの検出信号と第２の温度センサの検出信号とを差動増幅して両信号の差分値を求め、差分値の信号極性が負である場合に異常と判断する。従って、加熱ローラの温度、２つのセンサ、回路構成等、異常温度検知装置内の異常を検知することができる。  
【手続補正１４】
【補正対象書類名】明細書
【補正対象項目名】００２２
【補正方法】変更
【補正の内容】
【００２２】
請求項４に記載の発明は、請求項３に記載の発明において、前記判断手段は、前記差分値の信号極性が負である状態が予め定められた基準時間以上継続した場合に異常と判断することを特徴としている。
【手続補正１５】
【補正対象書類名】明細書
【補正対象項目名】００２３
【補正方法】変更
【補正の内容】
【００２３】
請求項４に記載の発明によれば、請求項３に記載の発明において、差分値の信号極性が負である状態が予め定められた基準時間以上継続した場合に異常と判断する。従って、より確実に異常を検知することができる。
【手続補正１６】
【補正対象書類名】明細書
【補正対象項目名】００２４
【補正方法】変更
【補正の内容】
【００２４】
請求項５に記載の発明は、請求項１〜４の何れか一項に記載の発明において、前記判断手段の判断結果が異常を示す場合に、前記加熱手段の動作を一旦停止した後再起動させ、再度、前記判断手段により異常と判断された場合に異常と判定する制御手段を備えたことを特徴としている。
【手続補正１７】
【補正対象書類名】明細書
【補正対象項目名】００２５
【補正方法】変更
【補正の内容】
【００２５】
請求項５に記載の発明によれば、請求項１〜４の何れか一項に記載の発明において、判断手段の判断結果が異常を示す場合に、加熱手段の動作を一旦停止した後再起動させ、再度、判断手段により異常と判断された場合に異常と判定する。従って、異常の真偽をより確実に検知することができる。
【手続補正１８】
【補正対象書類名】明細書
【補正対象項目名】００２６
【補正方法】変更
【補正の内容】
【００２６】
請求項６に記載の発明は、請求項１〜４の何れか一項に記載の発明において、前記温度検出手段は、前記第１の温度センサの設置位置と異なる他の位置に設置されて前記加熱ローラの他の位置の表面温度を検出する第３の温度センサを含み、前記判断手段の判断結果が異常である場合に、前記第３の温度センサの検出信号値及び予め設定された第３の基準値に基づいて、異常を確認する確認手段を備えたことを特徴としている。
【手続補正１９】
【補正対象書類名】明細書
【補正対象項目名】００２７
【補正方法】変更
【補正の内容】
【００２７】
請求項６に記載の発明によれば、請求項１〜４の何れか一項に記載の発明において、第１の温度センサの設置位置と異なる他の位置に設置されて加熱ローラの他の位置の表面温度を検出する第３の温度センサを有し、判断手段の判断結果が異常である場合に、第３の温度センサの検出信号値及び予め設定された第３の基準値に基づいて、異常を確認する。従って、異常の真偽をより確実に検知することができる。
【手続補正２０】
【補正対象書類名】明細書
【補正対象項目名】００２８
【補正方法】変更
【補正の内容】
【００２８】
請求項７に記載の発明は、請求項６に記載の発明において、前記確認手段の確認結果が異常を示す場合に、前記加熱手段の動作を一旦停止した後再起動させ、再度、前記判断手段により異常と判断された場合に異常と判定する制御手段を備えたことを特徴としている。
【手続補正２１】
【補正対象書類名】明細書
【補正対象項目名】００２９
【補正方法】変更
【補正の内容】
【００２９】
請求項７に記載の発明によれば、請求項６に記載の発明において、確認手段の確認結果が異常を示す場合に、加熱手段の動作を一旦停止した後再起動させ、再度、前記判断手段により異常と判断された場合に異常と判定する。従って、異常の真偽をより確実に検知することができる。
【手続補正２２】
【補正対象書類名】明細書
【補正対象項目名】００３０
【補正方法】変更
【補正の内容】
【００３０】
請求項８に記載の発明は、請求項１、２、４の何れか一項に記載の発明において、前記判断手段において設定された基準時間の長さを変更する切り替え手段を備えたことを特徴としている。
【手続補正２３】
【補正対象書類名】明細書
【補正対象項目名】００３１
【補正方法】変更
【補正の内容】
【００３１】
請求項８に記載の発明によれば、請求項１、２、４の何れか一項に記載の発明において、判断手段において設定された基準時間の長さを変更する切り替え手段を備えている。従って、例えば、仕向け地が異なる場合等、一律に基準時間を設定すると定着器の破損に繋がる場合に、条件に応じて異なる基準時間を設定することができる。
【手続補正２４】
【補正対象書類名】明細書
【補正対象項目名】００３２
【補正方法】変更
【補正の内容】
【００３２】
請求項９に記載の発明の画像形成装置は、請求項１〜８の何れか一項に記載の定着器の異常温度検知装置を備えたことを特徴としている。
【手続補正２５】
【補正対象書類名】明細書
【補正対象項目名】００３３
【補正方法】変更
【補正の内容】
【００３３】
請求項９に記載の発明によれば、請求項１〜８の何れか一項に記載の定着器の異常温度検知装置を備えることにより、画像形成装置において、広い範囲で多岐にわたって細かく異常を検知することができる。
【手続補正２６】
【補正対象書類名】明細書
【補正対象項目名】００３４
【補正方法】変更
【補正の内容】
【００３４】
まず、図１〜４を参照して、本発明の第１の実施の形態を説明する。
＜画像形成装置の構成＞
図１に示すように、画像形成装置１００は、画像形成装置全体の各構成要素を中央制御するＣＰＵ（Central Processing Unit）１１１と、情報を一時的に格納するＲＡＭ（Random Access Unit）１１２と、各種データ及びプログラムを記憶するＲＯＭ（Read Only Memory）１１３と、各種情報を表示する表示部１１４と、印刷対象物の画像情報を読取るスキャナ１１５と、転写材Ａに作像する作像部１１６と、作像部１１６に転写材Ａを供給する給紙部１１７と、作像部１１６で作像された転写材Ａ上の現像剤であるトナーを定着させる定着器２００と、定着器２００の加熱ローラ２０１の異常温度を検知する異常温度検知装置３００と、を具備する。
【手続補正２７】
【補正対象書類名】明細書
【補正対象項目名】００４９
【補正方法】変更
【補正の内容】
【００４９】
また、差動増幅器８の出力端子は、コンパレータ１１の入力端子に接続されている。コンパレータ１１は、差動増幅器８の差分値ＴＦと基準電圧Ｖｒｅｆ３との比較を行い、比較結果を出力する。このコンパレータ１１の出力端子は処理回路３に接続され、コンパレータ１１からの出力信号が処理回路３に出力される。
【手続補正２８】
【補正対象書類名】明細書
【補正対象項目名】００５０
【補正方法】変更
【補正の内容】
【００５０】
処理回路３は、ＣＰＵ、差動増幅器８からの差分値ＴＦとバッファ７からの温度検出値ＴＣに基づいて加熱ローラ２０１の表面温度を演算して加熱ローラ２０１の温度制御を行う温度制御プログラムや本発明に係る異常判断処理Ａプログラムを始めとする各種プログラムが記憶されたＲＯＭ、上記各プログラムが展開されるＲＡＭ、入力されたアナログ信号をデジタル信号に変換するＡ／Ｄ変換器等を有して構成され、ＣＰＵとＲＯＭに記憶されたプログラムとの協働により、加熱ローラ２０１の温度制御や、加熱ローラ２０１や温度検出に関わる異常判断を行う判断手段として機能する。
【手続補正２９】
【補正対象書類名】明細書
【補正対象項目名】００５７
【補正方法】変更
【補正の内容】
【００５７】
コンパレータ９からの異常信号が入力されると、処理回路３内のクロックにより計時が開始され、異常信号が入力された後、異常信号の入力が予め設定された基準時間以上継続した場合（ステップＳ１；ＹＥＳ）、加熱ローラ２０１又は第１温度センサ４が異常であると判断される（ステップＳ３）。異常信号が入力された後、異常信号の入力が予め設定された基準時間以上継続しなかった場合（ステップＳ１；ＮＯ）、加熱ローラ２０１又は第１温度センサ４が正常であると判断される（ステップＳ２）。
【手続補正３０】
【補正対象書類名】明細書
【補正対象項目名】００６２
【補正方法】変更
【補正の内容】
【００６２】
コンパレータ１１からの異常信号が入力されると、処理回路３内のクロックにより計時が開始され、異常信号が入力された後、異常信号の入力が予め設定された基準時間以上継続した場合（ステップＳ１；ＹＥＳ）、異常であると判断される（ステップＳ３）。異常信号が入力された後、異常信号の入力が予め設定された基準時間以上継続しなかった場合（ステップＳ１；ＮＯ）、正常であると判断される（ステップＳ２）。
【手続補正３１】
【補正対象書類名】明細書
【補正対象項目名】００６８
【補正方法】変更
【補正の内容】
【００６８】
バッファ７を介した第２温度センサ５からの検出信号値ＴＣは、コンパレータ１０に入力され、予め設定されている基準電圧Ｖｒｅｆ２と比較される。コンパレータ１０からの比較結果は、出力信号として処理回路３に入力される。
【手続補正３２】
【補正対象書類名】明細書
【補正対象項目名】００８１
【補正方法】変更
【補正の内容】
【００８１】
〔第５の実施の形態〕
次に、図７を参照して本発明の第５の実施の形態について説明する。
この実施の形態は、上述した第１〜第４の実施の形態において、処理回路３が判断手段として異常と判断した場合に、さらに異常を再確認して安全性を確保しようとするものである。従って、処理回路３は、制御手段として図７に示す異常確認処理Ａを実行する。以下、図７を参照して異常確認処理Ａについて説明する。
【手続補正３３】
【補正対象書類名】明細書
【補正対象項目名】００８４
【補正方法】変更
【補正の内容】
【００８４】
〔第６の実施の形態〕
次に、図８〜１０を参照して本発明の第６の実施の形態について説明する。
本第６の実施の形態においては、上述した第１〜第４の実施の形態において処理回路３が判断手段として異常と判断した場合に、さらに異常を再確認して安全性を確保しようとするものである。従って、処理回路３は、確認手段として図８に示す異常確認処理Ｂを実行する。
【手続補正３４】
【補正対象書類名】明細書
【補正対象項目名】００８５
【補正方法】変更
【補正の内容】
【００８５】
なお、図９に示すように、本実施６の実施の形態においては、加熱ローラ２０１に近接または接触して、加熱ローラ２０１の表面温度を検出する端部センサ１３が設けられている。端部センサ１３からの検出信号値ＴＥは、処理回路３に出力される。
【手続補正３５】
【補正対象書類名】明細書
【補正対象項目名】００８６
【補正方法】変更
【補正の内容】
【００８６】
以下、図８を参照して異常確認処理Ｂについて説明する。
上述した第１〜第４の実施の形態における判断手段により異常と判断されると（ステップ３１；ＹＥＳ）、端部センサ１３からの検出信号値ＴＥと予め定められた基準値との比較が行われ（ステップＳ３２）、予め定められた設定値以上の差がある場合（ステップＳ３３）、異常が確認され、異常停止信号が出力される（ステップＳ３４）。
【手続補正３６】
【補正対象書類名】明細書
【補正対象項目名】００８８
【補正方法】変更
【補正の内容】
【００８８】
上述した第１〜第４の実施の形態における判断手段により異常と判断されると（ステップ４１；ＹＥＳ）、端部センサ１３からの検出信号値ＴＥと予め定められた基準値との比較が行われ（ステップＳ４２）、予め定められた設定値以上の差がある場合（ステップＳ４３）、異常が確認され、加熱手段２０３の動作を一旦停止した後、再起動させるリトライ動作が行われ、リトライ動作が完了すると（ステップＳ４４；ＹＥＳ）、再度判断手段により異常であるか否か確認の判断が行われ、判断の結果、異常である場合（ステップＳ４５；ＹＥＳ）、異常と判定され、異常停止信号が出力される（ステップＳ４６）。
【手続補正３７】
【補正対象書類名】明細書
【補正対象項目名】００８９
【補正方法】変更
【補正の内容】
【００８９】
上述したように、第６の実施の形態によれば、異常と判断した後、端部センサ１３の検出信号値ＴＥが予め定められた基準値と比較され、予め定められた設定値以上の差がある場合、異常停止信号が出力される。或いは、異常と判断した後、端部センサ１３の検出信号値ＴＥが予め定められた基準値と比較され、予め定められた設定値以上の差がある場合、リトライ動作が行われ、異常であるか否かが再度判断される。従って、異常の真偽をより確実に検出することができる。
【手続補正３８】
【補正対象書類名】明細書
【補正対象項目名】００９２
【補正方法】変更
【補正の内容】
【００９２】
コネクタ１４が接続されたとき、回路はショートとなるので、スイッチ素子ＱがＯＦＦとなり、基準電圧Ｖｒｅｆ０は分圧抵抗Ｒ９と分圧抵抗Ｒ１０の分圧電圧となる。即ち、ショート時の基準電圧Ｖｒｅｆ０は下記の（式１）で表される。
（式１）  Ｖｒｅｆ０＝Ｖｃ×Ｒ１０／（Ｒ９＋Ｒ１０）
【手続補正３９】
【補正対象書類名】明細書
【補正対象項目名】００９３
【補正方法】変更
【補正の内容】
【００９３】
コネクタ１４が非接続のとき、回路はオープンとなるので、スイッチ素子ＱがＯＮとなり、分圧抵抗１０に抵抗Ｒ８が並列に投入される。基準電圧Ｖｒｅｆ０は、分圧抵抗Ｒ９と、分圧抵抗Ｒ１０、抵抗Ｒ８の並列合成抵抗との分圧比で決まる電圧となる。即ち、オープン時の基準電圧Ｖｒｅｆ０は下記の（式２）で表される。
（式２）  Ｖｒｅｆ０＝Ｖｃ×Ｒｆ／（Ｒ９＋Ｒｆ）
Ｒｆ＝Ｒ８×Ｒ１０／（Ｒ８＋Ｒ１０）
【手続補正４０】
【補正対象書類名】明細書
【補正対象項目名】０１０１
【補正方法】削除
【補正の内容】
【手続補正４１】
【補正対象書類名】明細書
【補正対象項目名】０１０２
【補正方法】削除
【補正の内容】
【手続補正４２】
【補正対象書類名】明細書
【補正対象項目名】０１０３
【補正方法】削除
【補正の内容】
【手続補正４３】
【補正対象書類名】明細書
【補正対象項目名】０１０４
【補正方法】変更
【補正の内容】
【０１０４】
【発明の効果】
請求項１に記載の発明によれば、加熱ローラの表面温度を検出する第１の温度センサ及び第１の温度センサの周囲温度を検出する第２の温度センサを有し、第１の温度センサの検出信号と第２の温度センサの検出信号とを差動増幅して前記両信号の差分値を求め、第１の温度センサの検出信号値が予め設定された第１の基準値を超えない状態が予め設定された第１の基準時間以上継続した場合、第２の温度センサの検出信号値が予め設定された第２の基準値を超えない状態が予め設定された第２の基準時間以上継続した場合又は差分値が予め設定された基準値を超えない状態が予め設定された第３の基準時間以上継続した場合に、異常と判断する。従って、２つのセンサからの出力及び２つのセンサの差分値を用いて異常を検知するので、より正確に異常を検知することができる。
【手続補正４４】
【補正対象書類名】明細書
【補正対象項目名】０１０５
【補正方法】変更
【補正の内容】
【０１０５】
請求項２に記載の発明によれば、請求項１に記載の発明において、第１の基準時間をｔ１、第２の基準時間をｔ２、第３の基準時間をｔ３としたとき、ｔ１＜ｔ２＜ｔ３となるように設定する。従って、異常検知として重要な順に異常判断を行っていくことができる。
【手続補正４５】
【補正対象書類名】明細書
【補正対象項目名】０１０６
【補正方法】変更
【補正の内容】
【０１０６】
請求項３に記載の発明によれば、加熱ローラの表面温度を検出する第１の温度センサ及び第１の温度センサの周囲温度を検出する第２の温度センサを有し、第１の温度センサの検出信号と第２の温度センサの検出信号とを差動増幅して両信号の差分値を求め、差分値の信号極性が負である場合に異常と判断する。従って、加熱ローラの温度、２つのセンサ、回路構成等、異常温度検知装置内の異常を検知することができる。
【手続補正４６】
【補正対象書類名】明細書
【補正対象項目名】０１０７
【補正方法】変更
【補正の内容】
【０１０７】
請求項４に記載の発明によれば、請求項３に記載の発明において、差分値の信号極性が負である状態が予め定められた基準時間以上継続した場合に異常と判断する。従って、より確実に異常を検知することができる。
【手続補正４７】
【補正対象書類名】明細書
【補正対象項目名】０１０８
【補正方法】変更
【補正の内容】
【０１０８】
請求項５に記載の発明によれば、請求項１〜４の何れか一項に記載の発明において、判断手段の判断結果が異常を示す場合に、加熱手段の動作を一旦停止した後再起動させ、再度、判断手段により異常と判断された場合に異常と判定する。従って、異常の真偽をより確実に検知することができる。
【手続補正４８】
【補正対象書類名】明細書
【補正対象項目名】０１０９
【補正方法】変更
【補正の内容】
【０１０９】
請求項６に記載の発明によれば、請求項１〜４の何れか一項に記載の発明において、第１の温度センサの設置位置と異なる他の位置に設置されて加熱ローラの他の位置の表面温度を検出する第３の温度センサを有し、判断手段の判断結果が異常である場合に、第３の温度センサの検出信号値及び予め設定された第３の基準値に基づいて、異常を確認する。従って、異常の真偽をより確実に検知することができる。
【手続補正４９】
【補正対象書類名】明細書
【補正対象項目名】０１１０
【補正方法】変更
【補正の内容】
【０１１０】
請求項７に記載の発明によれば、請求項６に記載の発明において、確認手段の確認結果が異常を示す場合に、加熱手段の動作を一旦停止した後再起動させ、再度、前記判断手段により異常と判断された場合に異常と判定する。従って、異常の真偽をより確実に検知することができる。
【手続補正５０】
【補正対象書類名】明細書
【補正対象項目名】０１１１
【補正方法】変更
【補正の内容】
【０１１１】
請求項８に記載の発明によれば、請求項１、２、４の何れか一項に記載の発明において、判断手段において設定された基準時間の長さを変更する切り替え手段を備えている。従って、例えば、仕向け地が異なる場合等、一律に基準時間を設定すると定着器の破損に繋がる場合に、条件に応じて異なる基準時間を設定することができる。
【手続補正５１】
【補正対象書類名】明細書
【補正対象項目名】０１１２
【補正方法】変更
【補正の内容】
【０１１２】
請求項９に記載の発明によれば、請求項１〜８の何れか一項に記載の定着器の異常温度検知装置を備えることにより、画像形成装置において、広い範囲で多岐にわたって細かく異常を検知することができる。